(57)【特許請求の範囲】
【請求項１】
取付板と支持板とを有し断面Ｌ形または断面コ字状に形成された基枠体の該支持板の上部と下部に、鉤部材が枢軸を介して傾動可能に枢支され、該支持板に沿って連動杆が摺動可能に配設され、該連動杆の一方向の移動にのみ係合して該上下の鉤部材が解錠側に傾動可能に配設され、該取付板の一部にシリンダ錠がその錠軸を基枠体内に向けて取り付けられ、該シリンダ錠の錠軸にはカム板が該連動杆と係合可能に取り付けられ、該上下の鉤部材に解錠方向の力が印加されたとき、該上部の鉤部材と下部の鉤部材が独立して傾動可能に構成され、該上下の鉤部材と該連動杆が該支持板の外側に配置され、該上部の鉤部材と下部の鉤部材には長孔が形成され、該支持板に固定されたガイドピンが該長孔に挿通されて該鉤部材の傾動がガイドされると共に、該連動杆に設けた長孔に該ガイドピンが挿通されて該連動杆の摺動がガイドされ、該連動杆の作動時、該連動杆と該上下の鉤部材とは該連動杆の一部を曲げた曲折部と該鉤部材の縁部によって係合し、該支持板における該連動杆の曲折部の対応位置に、該曲折部を該支持板の内側から覆うカバー部が設けられたことを特徴とするパチンコ機の施錠装置。
【請求項２】
前記基枠体内に鉤部を上下に有するガラス枠施錠杆が該鉤部を該取付板から前面側に突出させて摺動可能に配設され、該ガラス枠施錠杆には前記カム板と係合可能な係合部が設けられ、該ガラス枠施錠杆の鉤部が該ガラス枠側に設けた係止部に係止されて該ガラス枠が施錠されるように構成した請求項１記載のパチンコ機の施錠装置。
【発明の詳細な説明】
【０００１】
【発明の属する技術分野】
本発明は、パチンコ機に使用される施錠装置に関し、特に、前面枠と本体枠の隙間から針金などを差し込んで鉤部材を動かして行う不正解錠を効果的に防止し得るパチンコ機の施錠装置に関する。
【０００２】
【従来の技術】
パチンコ機の施錠装置として、パチンコ機の本体枠の前面にヒンジを介して開閉可能に取り付けられた前面枠（前扉）を施錠するために、前面枠の内側に縦に装着され、本体枠側に取り付けた受け金具にフック状の鉤部材を係止させて施錠する施錠装置が、従来一般に使用されている。
【０００３】
この施錠装置は、通常、取付板と支持板を横断面略Ｌ形またはコ字形に成形してなる縦長の基枠体を有し、その支持板の上部と下部に、鉤部材を傾動可能に枢支し、基枠体内に摺動可能に配設した連動杆により上下の鉤部材を連結し、基枠体の取付板の中間部にシリンダ錠が取り付けられ、その錠軸の先端に取り付けたカム板を連結杆に連結させ、シリンダ錠のキー操作によりカム板を回動させ、連動杆を介して上下の鉤部材を下側に傾動させ、解錠する構造である。また、連結杆には鉤部材を施錠側に付勢するコイルばねが掛止され、前面枠を本体枠に対し閉鎖した時、鉤部材が受け金具の縁部に当って傾動しながら、係止状態となり、コイルばねの付勢力で、鉤部材が係止位置に戻り、施錠状態となるように動作する。
【０００４】
【発明が解決しようとする課題】
ところで、この種のパチンコ機は、近年、大当たり入賞状態になれば、多くの球の払出が行なわれる機種が人気を呼び、大当たり入賞の生じるパチンコ機が多く製造されている。しかし、大当たり入賞の当選の確率は、通常、制御回路内のプログラムやメモリ内のデータにより決定されることから、遊技場の営業中や非営業中に係らず、パチンコ機の前面枠を不正に開き、制御回路内の回路部品を不正な部品と交換し、有利な条件で遊技を行なうことにより、不正に多くの球の払出を得るような不正行為が発生している。
【０００５】
パチンコ機には、殆ど全てに上記のような構造の施錠装置が装着されており、正常なキーを用いてシリンダ錠を操作して、施錠装置を解錠しなければ、パチンコ機の前面枠は、殆ど開くことが不可能である。しかしながら、前面枠と本体枠の隙間から針金などを差し込み、連結杆や鉤部材を動かして不正解錠が行なわれ、上記のような不正行為が行われる問題があった。
【０００６】
このため、従来、パチンコ機の前面枠を施錠する施錠装置において、前面枠を鉤部材により施錠した状態で、その鉤部材を連結する連動杆を不正解錠禁止機構とクラッチ機構によってロックし、不正解錠を防止する施錠装置が、特開2001-38026号公報等により提案されている。しかしながら、上記従来のパチンコ機の施錠装置は、不正解錠禁止機構とクラッチ機構が複雑な構造であるため、部品の加工工数が増大すると共に、部品点数も多く、部品の組付作業時にも多くの工数が必要となる等の問題があった。
【０００７】
また、特開2001-342763号公報などにおいて、上部の鉤部材と下部の鉤部材を独立して傾動可能な構造とする共に、何れか一方の鉤部材を針金などで引っ掛けて傾動させた場合でも、他方の鉤部材は連動しないようにして、針金などを使用した不正解錠を防止する施錠装置が提案されているが、この種の施錠装置は構造的に鉤部材やそれを連結する連結杆がパチンコ機の前面枠と本体枠の開口隙間に近い箇所に配置されるため、やはり針金などで不正解錠される虞があった。
【０００８】
本発明は、上記の点に鑑みてなされたもので、簡単な機構で不正解錠を防止することができるパチンコ機の施錠装置を提供することを目的とする。
【０００９】
【課題を解決するための手段】
上記目的を達成するために、本発明の請求項１のパチンコ機の施錠装置は、取付板と支持板とを有し断面Ｌ形または断面コ字状に形成された基枠体の支持板の上部と下部に、鉤部材が枢軸を介して傾動可能に枢支され、支持板に沿って連動杆が摺動可能に配設され、連動杆の一方向の移動にのみ係合して上下の鉤部材が解錠側に傾動可能に配設され、取付板の一部にシリンダ錠がその錠軸を基枠体内に向けて取り付けられ、シリンダ錠の錠軸にはカム板が連動杆と係合可能に取り付けられ、上下の鉤部材に解錠方向の力が印加されたとき、上部の鉤部材と下部の鉤部材が独立して傾動可能に構成され、上下の鉤部材と連動杆が支持板の外側に配置され、上部の鉤部材と下部の鉤部材には長孔が形成され、支持板に固定されたガイドピンが長孔に挿通されて鉤部材の傾動がガイドされると共に、連動杆に設けた長孔にガイドピンが挿通されて連動杆の摺動がガイドされ、連動杆の作動時、連動杆と該上下の鉤部材とは連動杆の一部を曲げた曲折部と鉤部材の縁部によって係合し、支持板における連動杆の曲折部の対応位置に、曲折部を支持板の内側から覆うカバー部が設けられたことを特徴とする。
【００１０】
また、請求項２の発明は、上記請求項１のものにおいて、基枠体内に鉤部を上下に有するガラス枠施錠杆が鉤部を取付板から前面側に突出させた状態で摺動可能に配設され、ガラス枠施錠杆にはカム板と係合可能な係合部が設けられ、ガラス枠施錠杆の鉤部がガラス枠側に設けた係止部に係止されてガラス枠が施錠されるように構成される。
【００１３】
【作用】
上記構成の施錠装置では、本体枠に対し前面枠を閉じると、本体枠側の受け金具に前面枠側の施錠装置の上下の鉤部材が係止されて施錠される。このとき、上下の鉤部材は、独立して傾動可能であるから、閉鎖時に鉤部材が受け金具に当って容易に傾動して係止され、施錠される。前面枠を解錠する場合は、キーをシリンダ錠に差込み右に回すと、錠軸と共にカム板が回動し、その係合部が連動杆に係合してそれを解錠方向に摺動させる。このとき、連動杆の上部と下部の曲折部が上下の鉤部材の縁部を押し、上下の鉤部材は枢軸を軸に解錠方向に傾動し、本体枠側の受け金具と鉤部材との係合が外れ、解錠される。
【００１４】
上下の鉤部材は、各々解錠方向に力が加えられた場合、解錠方向に独立して傾動するため、パチンコ機の本体枠と前面枠との隙間から針金などを差し込んで行う不正解錠では、上部と下部の２つの鉤部材を同時に解錠方向に引くことは難しく、一方の鉤部材のみを解錠方向に引いて解錠しようとしても、解錠は不可能であるから、不正解錠を防止することができる。
【００１５】
また、連動杆を解錠方向に摺動させた場合、上下の鉤部材は連動杆の摺動によって解錠方向に傾動するため、解錠することが可能となるが、連動杆と鉤部材は、本体枠と前面枠の隙間から差し込まれた針金が届きにくい支持板の外側に位置するから、連動杆や鉤部材を針金などで引いて摺動させることは困難となり、これによる不正解錠を防止することができる。
【００１６】
さらに、連動杆と鉤部材が係合する曲折部を、支持板の一部のカバー部によってカバーするから、その曲折部を針金などで引くことが難しくなり、一層不正解錠を防止することができる。
【００１７】
【発明の実施の形態】
以下、本発明の実施の形態を図面に基づいて説明する。図１は、パチンコ機に使用される施錠装置の正面図を、図２はその右側面図を示し、図３はその背面図を示し、図４はその左側面図を示している。この施錠装置は、取付板２と支持板３を断面Ｌ形または断面コ字形に形成した縦長の基枠体１を有し、その支持板３の上部と下部に、フック状の鉤部材５、６がその末端を枢軸７、８を介して傾動可能に枢支される。
【００１８】
図５の分解図に示すように、鉤部材５、６の中間部には、長孔５ａ，６ａが形成され、さらに、鉤部材５，６の縁部にはその部分を内側に折り曲げるようにして突部５ｂ、６ｂが突設され、その突部５ｂ、６ｂは、支持板３の対応位置に設けたガイド孔３ｃ、３ｄ内に入り、一定の角度範囲で傾動するようにガイドされる。一方、その支持板３の外側に、帯状の連動杆４が摺動可能に配設される。支持板３には切起し部３ｅが外側に曲げ出して形成され、連動杆４はその切起し部３ｅと上下のガイドピン１３，１４により摺動可能に保持されている。
【００１９】
上部と下部のガイドピン１３，１４は、鉤部材５，６の近傍の支持板３の外側面に固定され、連動杆４の上端と下端に設けた長孔４ａ、４ｂにそのガイドピン１３，１４が挿通され、また、鉤部材５，６に設けた長孔５ａ，６ａにもこのガイドピン１３，１４が挿通され、ガイドピン１３，１４によって、連動杆４の摺動と鉤部材５，６の傾動がガイドされる。
【００２０】
ところで、上下の鉤部材５，６は、解錠方向に外部から力を受けた場合、独立して傾動可能にするように、連動杆４とは連結された状態とはなっていない。すなわち、連動杆４の上部と下部に内側に曲折した曲折部４ｃ、４ｄが鉤部材５，６の縁部に対向して設けられ、この曲折部４ｃ、４ｄが連動杆４の上方への摺動時に鉤部材５，６の縁部に各々係合して、鉤部材５、６を上方に傾動させる。
【００２１】
上下の鉤部材５，６と連動杆４は、支持板３の外側に配設されることにより、針金などをパチンコ機の隙間から差し込んだ場合でも、針金などが鉤部材５，６や連動杆４に届きにくく、不正解錠をしにくくしている。また、連動杆４の上下端部に設けた曲折部４ｃ、４ｄが支持板３の内側から差し込まれた針金などで引っ掛けられ、不正解錠がされないように、支持板３の上部と下部にカバー部３ａ、３ｂを設け、このカバー部３ａ、３ｂにより連動杆４の曲折部４ｃ、４ｄをカバーするようにしている。鉤部材５，６の末端部と支持板３の間にコイルばね１６，１８が掛け渡され、鉤部材５，６はコイルばね１６，１８によって、常時下方に付勢されている。
【００２２】
鉤部材５、６を上方に傾動させる場合には、このコイルばね１６，１８による付勢力に抗して傾動させることになる。また、コイルばね１６，１８によって下方に付勢された鉤部材５，６は、その突部５ｂ、６ｂが支持板３のガイド孔３ｃ、３ｄの縁に当接し、略水平位置で停止する。また、連動杆４の下部には後述のカム板９に係合可能な長孔状の係合部４ｅが設けられ、さらに、連動杆４にはそれを常時下方に付勢するためのコイルばね１７が後述のガラス枠施錠杆１２との間に掛けられている。
【００２３】
基枠体１の取付板２の下部寄りに幅広部が設けられ、そこにシリンダ錠１０が前面に突き出す形態で取り付けられる。シリンダ錠１０は、異形筒状に形成され、末端に大形のフランジ部を有し、取付板２に形成された異形孔に内側から挿入され、フランジ部を取付板２の内側にねじで固定し、取り付けられる。シリンダ錠１０の錠軸の末端はフランジ部を通して内側に突出し、その先端にカム板９が固定される。
【００２４】
カム板９には図３に示すように、第一係合部９ａと第二係合部９ｂが形成される。カム板９を図３の反時計方向に回動した時、第一係合部９ａが上記連動杆４の一部に設けた係合部４ｅに係合可能であり、図３の時計方向に回動した時、第二係合部９ｂが後述のガラス枠施錠杆１２の長孔状の係合部１２ｃと係合可能である。
【００２５】
ガラス枠を施錠するガラス枠施錠杆１２は、基枠体１の内側に摺動可能に配設され、ガイドピンと長孔の係合により上下摺動可能に支持される。ガラス枠施錠杆１２には、その上部と下部に正面を向けて鉤部１２ａ，１２ｂが突設され、さらに、その中間部には手動のための操作部１２ｄが背面側に突き出して設けられる。
【００２６】
鉤部１２ａ，１２ｂは、基枠体１の取付板２の上部と下部に設けた長孔２ａ、２ｂから前方に突出し、その状態でガラス枠施錠杆１２は上下に摺動可能に装着される。ガラス枠施錠杆１２の下部に設けた長孔状の係合部１２ｃはカム板９の第二係合部９ｂと係合可能であり、シリンダ錠１０の錠軸がキー操作により左に回されたとき、カム板９の回動に伴いガラス枠施錠杆１２が下方に摺動し、ガラス枠が解錠する。コイルばね１７がガラス枠施錠杆１２と上記連動杆４との間にかけ渡され、連動杆４はコイルばね１７のばね力により常時下方（施錠方向）に付勢され、ガラス枠施錠杆１２はこのコイルばね１７により常時上方（施錠方向）に付勢されている。
【００２７】
このように構成された施錠装置は、図９に示す如く、パチンコ機の本体枠２０に開閉可能に装着された前面枠２１の内側における矩形開口部の縁部に、シリンダ錠１０の先端を前面に露出させ、鉤部材５、６を本体枠２０側に向け、ガラス枠施錠杆１２の鉤部１２ａ、１２ｂを正面側のガラス枠用の凹部に突き出した姿勢で、取付板２を用いて縦に取付けられる。
【００２８】
一方、本体枠２０の内側の鉤部材５、６に対応した上下位置には、受け金具２４、２５が固定される。さらに、ガラスを嵌め込んだガラス枠２２が、前面枠２１の開口部内に取付けられた金枠内にヒンジを開閉可能に取付けられ、そのガラス枠２２の自由端部に、ガラス枠施錠杆１２の鉤部１２ａ，１２ｂが係止可能な係止部２６、２７が設けられる。つまり、ガラス枠２２は、閉鎖時にその自由端部が前面枠側の施錠装置の正面を覆い、鉤部１２ａ，１２ｂに係止部２６、２７を係止可能に構成されている。
【００２９】
パチンコ機の前面枠２１を本体枠２０に対し閉じると、図９のように、施錠装置の上下の鉤部材５、６が、本体枠２０側の受け金具２４、２５に当って上方に傾動し、その後コイルばね１６．１８の付勢力により戻って係止され、施錠状態となる。このとき、連動杆４は動かずに、上部と下部の鉤部材５，６が各々独立して傾動し、係止状態となって施錠されるから、鉤部材５，６の傾動は摩擦などの負荷が少ないために、極めて軽く動き、軽い動作で確実に施錠することができる。
【００３０】
一方、ガラス枠２２を前面枠２１の金枠内に閉じると、ガラス枠２２内の係止部２６、２７がガラス枠施錠杆１２の鉤部１２ａ，１２ｂに当り、これを下方に摺動させながら閉じられ、コイルばね１７の付勢力によりガラス枠施錠杆１２が上方に戻る。これにより、鉤部１２ａ，１２ｂに係止部２６、２７が係止され、ガラス枠２２は施錠状態となる。
【００３１】
ガラス枠２２を解錠する場合は、キーをシリンダ錠１０に差し込み、これを左方向に回して、カム板９を図３時計方向へ回動させると、カム板９の第二係合部９ｂがガラス枠施錠杆１２の係合部１２ｃと係合してこれを下方へ摺動させ、上下の鉤部１２ａ，１２ｂを下方へ摺動させる。この動作によって、ガラス枠２２の係止部２６、２７と鉤部１２ａ，１２ｂとの係合が外れ、ガラス枠２２は解錠される。
【００３２】
前面枠２１を解錠する場合は、図９に示すように、キーをシリンダ錠１０に差し込み右に回し、カム板９を図３反時計方向に回転させる。この動作により、カム板９の第一係合部９ａが連動杆４の係合部４ｅと係合してこれを上方へ摺動させ、連動杆４の摺動時にその曲折部４ｃ、４ｄが上下の鉤部材５、６の縁部を上方に押して上方に傾動させる。この鉤部材５、６の傾動によって、本体枠２０の受け金具２４、２５との係合が外れ、前面枠２１は開放可能な状態となる。
【００３３】
一方、パチンコ機では、その本体枠２０と前面枠２１との隙間から針金などを差し込んで、不正解錠される場合がある。施錠装置は、パチンコ機の正面に向かって、前面枠２１の右端の自由端側に取り付けられているから、パチンコ機の右側の隙間から針金などを差し込み、その先端で鉤部材５，６や連動杆４を引っ掛けて、解錠方向に摺動させて、不正解錠が行われやすい。
【００３４】
しかしながら、本施錠装置では、連動杆４と鉤部材５，６が基枠体１の支持板３の外側（施錠装置の正面に向かって左側）に配設されているから、前面枠の右側の隙間から差し込まれた針金などは、支持板３が壁となって連動杆４や鉤部材５，６には届きにくく、不正解錠を阻止することができる。
【００３５】
また、上部の鉤部材５と下部の鉤部材６が独立して傾動可能であり、一方の鉤部材を針金などで引っ掛けて解錠方向に傾動させた場合であっても、他方の鉤部材は施錠状態を保持するため、不正解錠を防止することができる。さらに、連動杆４と鉤部材５，６を係合させる曲折部４ｃ、４ｄの部分は、正面の右側から見た場合、支持板３のカバー部３ａ，３ｂによってカバーされているから、その部分を針金などで引っ掛けての不正解錠も不可能となる。
【００３６】
このように、本体枠２０と前面枠２１との隙間から針金などを差し込んで行われる不正解錠を簡単な構成により、防止することができる。
【００３７】
【発明の効果】
以上説明したように、本発明の施錠装置によれば、連動杆と鉤部材が、本体枠と前面枠の隙間から差し込まれた針金が届きにくい支持板の外側に配設されるから、施錠装置近傍の隙間から差し込まれた針金などでは、支持板が壁となって、連動杆や鉤部材を引っ掛けて摺動させることは困難となり、針金などによる不正解錠を防止することができる。また、上下の鉤部材が、各々解錠方向に力が加えられた場合、解錠方向に独立して傾動するため、パチンコ機の本体枠と前面枠との隙間から針金などを差し込んで行う不正解錠では、上部と下部の２つの鉤部材を同時に解錠方向に引くことは難しく、一方の鉤部材のみを解錠方向に引いて解錠しようとしても、解錠は不可能となり、不正解錠を防止することができる。
【図面の簡単な説明】
【図１】本発明の一実施形態を示す施錠装置の正面図である。
【図２】同施錠装置の右側面図である。
【図３】同施錠装置の背面図である。
【図４】同施錠装置の左側面図である。
【図５】同施錠装置の分解右側面図である。
【図６】同施錠装置の分解左側面図である。
【図７】（ａ）は上部の鉤部材が傾動する状態の部分左側面図、（ｂ）は下部の鉤部材が傾動する状態の部分左側面図である。
【図８】（ａ）は下部の鉤部材周辺の詳細を示す部分斜視図、（ｂ）は上部の鉤部材周辺の詳細を示す部分斜視図である。
【図９】使用状態を示す同施錠装置の右側面図である。
【符号の説明】
１−基枠体
２−取付板
３−支持板
４−連動杆
４ｃ、４ｄ−曲折部
５、６−鉤部材
９−カム板
１０−シリンダ錠
１２−ガラス枠施錠杆
２０−本体枠
２１−前面枠
２２−ガラス枠
【図１】
0004220712.tif 000002
【図２】
0004220712.tif 000003
【図３】
0004220712.tif 000004
【図４】
0004220712.tif 000005
【図５】
0004220712.tif 000006
【図６】
0004220712.tif 000007
【図７】
0004220712.tif 000008
【図８】
0004220712.tif 000009
【図９】
0004220712.tif 000010